(57)【要約】【課題】  パネルを載せる効果を有し、直棒外側が遮蔽されず空間上の便利性を有するパネル収納箱を提供する。【解決手段】  パネル収納箱１０は、二つの側部フレーム１１と、若干の上分割棒２２及び下分割棒２４と、多数の支持コード３１とを備える。二つの側部フレーム１１は、上横棒１２と下横棒１４と若干の直棒１６を有し、上横棒１２と下横棒１４の間に所定の距離が置かれ、直棒１６は互いに間隔を置きながら対応し、その両端により上下横棒１２、１４のボディーに設置される。上分割棒２２は互いに間隔を置きながらその両端により二つの側部フレーム１１の上横棒１２ボディーに連接され、下分割棒２４は互いに間隔を置きながらその両端により二つの側部フレーム１１の下横棒１４ボディーに連接される。多数の支持コード３１は、互いに間隔を置きながら、その両端により二つの側部フレーム１１の相対的に対応する直棒１６ボディーに連接される。【選択図】【実用新案登録請求の範囲】
【請求項１】
上横棒と下横棒と若干の直棒とを有し、上横棒と下横棒の間には所定の距離が置かれ、直棒は互いに間隔を置きながら対応し、その両端により上下横棒のボディーに設置される二つの側部フレームと、
それぞれ互いに間隔を置き、それぞれその両端により二つの側部フレームの上横棒ボディー及び下横棒ボディーに連接される若干の上分割棒及び下分割棒と、
互いに間隔を置き、その両端により二つの側部フレームの相対的に対応する直棒ボディーに連接される多数個の支持コードと、
を備えることを特徴とするパネル収納箱。
【請求項２】
側部フレームの直棒の間に位置付けられ、かつその両端により直棒に連接される若干の強化横棒を備えることを特徴とする請求項１に記載のパネル収納箱。
【請求項３】
分割棒は、その両端が側部フレームの直棒に向かい合うことを特徴とする請求項１に記載のパネル収納箱。
【請求項４】
少なくとも一つの側部フレームの直棒外側には凹溝を有し、凹溝の中には支持コードに対応しながら連接される張力調整器を有することで、支持コードの張力を調整することを特徴とする請求項１に記載のパネル収納箱。
【考案の詳細な説明】
【技術分野】
【０００１】
本考案は、架体に関し、特にパネルを載せるパネル収納箱に関するものである。
【背景技術】
【０００２】
台湾実用新案公報第530573号により開示される「パネル収納支持架」は図６に示すように、複数のフレーム７１及び複数の固定横棒７５から構成される。フレーム７１は二つの直立棒７２と横棒７３の連接によりＵ字形となり、二つの強化棒７４が二つの直立棒７２の間に設置されることで、比較的に丈夫なフレーム体が形成される。二つの直立棒７２の間には多数の位置決めコード７６が連接され、それぞれフレーム７１の間の位置決めコード７６により支持面が形成されることで、パネルを載せることが可能である。位置決めコード７６は両端に調節ねじ７７を有し、位置決めコード７６の張力を調整する。固定横棒７５はフレーム７１を結合、固定し、箱状の架体を形成するものである。
【考案の開示】
【考案が解決しようとする課題】
【０００３】
上述の周知のパネル収納支持架は構造設計上、下記のような問題がある。固定横棒７５が直立棒７２に固定された時に、一部分の調整ねじ７７は遮蔽され、使用者は調整ねじ７７を調整しようとする時、固定横棒７５を先に取り外さなければ調整ができず、取り外すと各フレーム７１の間の連接関係が緩む。従って調整する際に、不都合が発生する。
【０００４】
本考案者は、上述の状況を鑑みた上で、構造設計が全然異なり、かつ調整ねじ７７を遮蔽することなく、調整が便利になる新しい架体を考案した。
本考案の主な目的は、前述の周知の架体と異なり、パネルを載せる効果を有するパネル収納箱を提供することにある。
【０００５】
本考案のもう一つの目的は、直棒外側が他のユニットにより遮蔽されることなく、空間上の便利性を有するパネル収納箱を提供することにある。
【課題を解決するための手段】
【０００６】
上述の目的を達成するために、本考案によるパネル収納箱は、二つの側部フレームと、若干の上分割棒及び下分割棒と、多数個の支持コードとを備える。二つの側部フレームは、上横棒と下横棒と若干の直棒を有し、上横棒と下横棒の間には所定の距離が置かれ、直棒は互いに間隔を置きながら対応し、その両端により上下横棒のボディーに設置される。若干の上分割棒及び下分割棒は、そのうちの上分割棒が互いに間隔を置きながらその両端により二つの側部フレームの上横棒ボディーに連接され、下分割棒が互いに間隔を置きながらその両端により二つの側部フレームの下横棒ボディーに連接される。多数個の支持コードは、互いに間隔を置きながら、その両端により二つの側部フレームの相対的に対応する直棒ボディーに連接される。
【考案を実施するための最良の形態】
【０００７】
以下、本考案の三つの実施例を図面に基づいて説明する。
図１から図２に示すように、本考案の第一実施例によるパネル収納箱１０は、二つの側部フレーム１１と、若干の上分割棒２２及び下分割棒２４と、多数個の支持コード３１から構成される。
【０００８】
二つの側部フレーム１１は、各側部フレーム１１が上横棒１２と、下横棒１４と、若干の直棒１６と、若干の強化横棒１９を有し、上横棒１２と下横棒１４の間には所定の距離が置かれ、直棒１６は互いに間隔を置きながら、その両端により上下横棒１２、１４のボディーに設置され、かつ二つの側部フレーム１１の直棒１６は互いに対応し、各直棒１６の外側に凹溝１７を有し、凹溝１７の中には複数の張力調整器１８を有し、強化横棒１９は側部フレーム１１の直棒１６の間に位置付けられ、その両端により直棒１６に連接される。
【０００９】
上分割棒２２及び下分割棒２４は、各側部フレーム１１の直棒１６と数が同じである。本実施例では、上分割棒２２と下分割棒２４と各側部フレーム１１の直棒１６は数が５に設定され、上分割棒２２は互いに間隔を置きながらその両端により二つの側部フレーム１１の上横棒１２ボディーに連接され、下分割棒２４は互いに間隔を置きながらその両端により二つの側部フレーム１１の下横棒１４ボディーに連接される。各分割棒２２、２４は、その両端が側部フレーム１１の直棒１６に向かい合う。
【００１０】
支持コード３１は、互いに間隔を置きながらその両端が二つの側部フレーム１１の相対的に対応する直棒１６ボディーを貫通し、張力調整器１８に連接される。
図３に示すように、本考案の第一実施例によるパネル収納箱を使用する場合、高さの同じ支持コード３１は平面を形成しパネル９９を収納することが可能である。各支持コード３１は本来の張力によりパネル９９を垂れさせないように支持し、そして張力調整器１８の調整により使用者の需要に応じ有効かつ適当な支持効果を達成することができる。
【００１１】
図４に示すように、本考案の第二実施例によるパネル収納箱４０は、前述の実施例とほぼ同じであるが、その違いは下記の通りである。
上分割棒２２'及び下分割棒２４'は数量が側部フレーム１１'の直棒１６'と異なり、第二実施例では、３に設定され、かつ上分割棒２２'及び下分割棒２４'は各側部フレーム１１'の第一、第二、第五直棒１６'に向かい合うように各側部フレーム１１'の上下横棒１２'、１４'に連接される。
【００１２】
第二実施例によるパネル収納箱の使用方法については前述の第一実施例と同じであるため、詳しい説明を省く。
図５に示すように本考案の第三実施例によるパネル収納箱５０は、前述の実施例とほぼ同じであるが、その違いは、下記の通りである。
【００１３】
上分割棒２２"及び下分割棒２４"は一つの側部フレーム１１"の直棒１６"と数量が同じであり、第三実施例では５に設定され、かつ上分割棒２２"及び下分割棒２４"は各側部フレーム１１"の上下横棒１２"、１４"に連接され、そして各直棒１６"に対応せず各直棒１６"の軸方向延伸線との間に所定の距離を置く。
【００１４】
各側部フレーム１１"の直棒１６"外側には凹溝１７"を有し、凹溝１７"の中には各支持コード３１"に連接される多数個の張力調整器１８"を有する。
第三実施例によるパネル収納箱を使用する場合、二つの側部フレーム１１"の張力調整器１８"により支持コード３１"の張力を調整することができ、かつ一つの側部フレーム１１"の位置に限らないため、前述の実施例よりも調整上の便利性を有する。本実施例のそのほかの使用方法については前述の実施例と同じであるため、詳しい説明を省く。
【００１５】
上述の構造説明によると、本考案は前述の周知のものと異なる。周知のものは多数個のフレームと固定横棒により結合されるのに対し、本考案は二つの側部フレームと若干の分割棒により架体全体が形成されることでパネルを載せる効果を有する。
また本考案の直棒上の凹溝は強化横棒に遮蔽されることがなく、即ち張力調整器は遮蔽されることがないため、周知のものと比較して調整が便利である。
【００１６】
なお上述の実施例は、本考案を説明するための一例に過ぎず、本考案の技術範囲を制限するものではない。また本考案の技術に従う修正または変更は本考案の請求範囲に属するべきである。
【図面の簡単な説明】
【００１７】
【図１】本考案の第一実施例によるパネル収納箱を示す組合せ立体図である。
【図２】本考案の第一実施例によるパネル収納箱を示す分解立体図である。
【図３】本考案の第一実施例によるパネル収納箱の使用状態を示す模式図である。
【図４】本考案の第二実施例によるパネル収納箱を示す分解立体図である。
【図５】本考案の第三実施例によるパネル収納箱を示す分解立体図である。
【図６】周知のパネル収納支持架を示す分解立体図である。
【符号の説明】
【００１８】
１０  パネル収納箱、１１  側部フレーム、１１'  側部フレーム、１１"  側部フレーム、１２  上横棒、１２'  上横棒、１２"  上横棒、１４  下横棒、１４'  下横棒、１４"  下横棒、１６  直棒、１６'  直棒、１６"  直棒、１７  凹溝、１７"  凹溝、１８  張力調整器、１８"  張力調整器、１９  強化横棒、２２  上分割棒、２２'  上分割棒、２２"  上分割棒、２４  下分割棒、２４'  下分割棒、２４"  下分割棒、３１  支持コード、３１"  支持コード、４０  パネル収納箱、５０  パネル収納箱、９９  パネル
【図１】
0003104844.tif 000002
【図２】
0003104844.tif 000003
【図３】
0003104844.tif 000004
【図４】
0003104844.tif 000005
【図５】
0003104844.tif 000006
【図６】
0003104844.tif 000007